(57)【要約】【課題】  肛門に当てたガーゼの浮き上がりやずれを防止したり、お尻の形を美しく見せる効果のある履き心地の良好なパンツの提供。【解決手段】  股下位置（１）の生地表側と尾てい骨の先端からウエストまでの範囲の位置（２）の生地表側とに両端側を止着して、お尻の割れ目に沿って設けた引き上げ紐（３）を備えていることを特徴とする。【選択図】      図１
2006314652.tif 000002
【特許請求の範囲】
【請求項１】
股下位置（１）の生地表側と尾てい骨の先端からウエストまでの範囲の位置（２）の生地表側とに両端側を止着して、お尻の割れ目に沿って設けた引き上げ紐（３）を備えていることを特徴とするパンツ。
【請求項２】
引き上げ紐（３）がゴム紐で形成してあることを特徴とする請求項１記載のパンツ。
【請求項３】
股下位置（１）の生地表側、及び尾てい骨の先端からウエストまでの範囲の位置（２）の生地表側の少なくとも何れかに、引き上げ紐（３）の端部を着脱自在に止着する止着部（４）を有し、引き上げ紐（３）の前記止着部（４）までの長さを調節するか引き上げ紐（３）の着脱自在な端部の止着位置を変更することにより、引き上げ紐（３）による生地の引き上げ強さを調節自在としたことを特徴とする請求項１又は２記載のパンツ。
【発明の詳細な説明】
【技術分野】
【０００１】
本発明は、お尻の割れ目に生地が食い込むようにしたパンツに関するものである。
【背景技術】
【０００２】
痔や大腸癌などの肛門の病気を患う人は、肛門に薬を塗ってガーゼを当てているが、立って歩いたりしているうちにそのガーゼが患部から浮き上がったり位置がずれたりする不都合があった。従来のパンツ、特に男性用のパンツは、お尻の部分に余裕を持たせて縫製してあるため、ガーゼの浮き上がりやずれを防止する効果はなく、ガーゼを押さえるにはフンドシを着用する以外にはなかった。
また、ガードル等のサポート力を有する女性用のパンツにあっては、全体を伸縮力の強い生地で形成してあって、お尻の割れ目に沿う部分は左右のお尻の肉をそれぞれ包み込む左右の生地の縫い合わせ部となっており、この部分を特別引き上げるようにしたものは無い。図５（ａ）（ｂ）は従来のガードル９０を履いたときのお尻の状態を示しており、生地の伸びにより両側に向けて引き上げる力ｆａのみが作用し、これにより左右のお尻の肉が一つの丸みをおびた形に圧迫されることとなり、お尻の形がきれいにならず、お尻を持ち上げる効果もさほど強いものではなかった。
【発明の開示】
【発明が解決しようとする課題】
【０００３】
本発明は以上に述べた実情に鑑みてなされたものであって、肛門に当てたガーゼの浮き上がりやずれを防止したり、お尻の形を美しく見せたりする効果のある履き心地の良好なパンツの提供を目的とする。
【課題を解決するための手段】
【０００４】
上記の課題を達成するために請求項１記載の発明によるパンツは、股下位置の生地表側と尾てい骨の先端からウエストまでの範囲の位置の生地表側とに両端側を止着して、お尻の割れ目に沿って設けた引き上げ紐を備えていることを特徴とする。ここで、尾てい骨の先端とは、お尻に飛び出た尾てい骨のとがった部位をいい、ウエストとは、腰の最もくびれた付近の高さ位置における背中側の部位をいう。
【０００５】
請求項２記載の発明によるパンツは、引き上げ紐がゴム紐で形成してあることを特徴とする。
【０００６】
請求項３記載の発明によるパンツは、股下位置の生地表側、及び尾てい骨の先端からウエストまでの範囲の位置の生地表側の少なくとも何れかに、引き上げ紐の端部を着脱自在に止着する止着部を有し、引き上げ紐の前記止着部までの長さを調節するか引き上げ紐の着脱自在な端部の止着位置を変更することにより、引き上げ紐による生地の引き上げ強さを調節自在としたことを特徴とする。
【発明の効果】
【０００７】
請求項１記載の発明によるパンツは、股下位置の生地表側と尾てい骨の先端からウエストまでの範囲の位置の生地表側とに両端側を止着して、お尻の割れ目に沿って設けた引き上げ紐を備えているので、パンツの生地が引き上げ紐により引き上げられ、お尻の割れ目に食い込んで肛門に密着する。そのため、肛門に当てたガーゼの浮き上がりやずれを確実に防止できる。また、ガードルに上記のように引き上げ紐を設けたときには、お尻の肉が左右に分かれてそれぞれ持ち上げられるため、お尻の左右の肉のふくらみが強調された美しいヒップラインが形成されるとともに、足を長く見せる効果もある。
【０００８】
請求項２記載の発明のように、引き上げ紐をゴム紐で形成したときには、パンツの生地がゴム紐の弾力によりソフトにお尻の割れ目に食い込むので、履き心地が一層良好となる。
【０００９】
請求項３記載の発明によるパンツは、股下位置の生地表側、及び尾てい骨の先端からウエストまでの範囲の位置の生地表側の少なくとも何れかに、引き上げ紐の端部を着脱自在に止着する止着部を有し、引き上げ紐の前記止着部までの長さを調節するか引き上げ紐の着脱自在な端部の止着位置を変更することにより、引き上げ紐による生地の引き上げ強さを調節自在としたので、生地がお尻の割れ目に食い込む強さを簡単に調節でき、常に最適な状態で着用することができる。
【発明を実施するための最良の形態】
【００１０】
以下、本発明の実施の形態を図面に基づいて説明する。図１と図２は本発明のパンツをブリーフ５に適用した実施形態を示しており、図１は着用時の状態を斜め後側から見た図であり、図２は着用前の状態の後面図である。本ブリーフ５は、股下位置１の生地表側に、ゴム紐で形成した引き上げ紐３の一端が縫い付けてあり、尾てい骨の先端からウエストまでの範囲の位置２（図示のものはウエスト位置）の生地表側に、引き上げ紐３の他端側６を結びつけるための止着ベルト４を横に縫い付けてある。なお止着ベルト４は、尾てい骨の先端からウエストまでの範囲のどの位置に設けてあってもよい。
【００１１】
本ブリーフ５は、通常のブリーフと同じように履いた後、図２に示すように、引き上げ紐３の他端側６を止着ベルト４に通して引っ張り、引き上げ紐３の他端側６を止着ベルト４に結び付けて使用する。こうすると、図１に示すように、ブリーフ５の生地がお尻の割れ目に食い込んで肛門に常に密着する。そのため、痔や大腸癌などの患者が肛門にガーゼを当てていた場合に、ガーゼが浮き上がったりずれたりするのを確実に防止できる。引き上げ紐３は、弾力性のあるゴム紐で形成してあるので、ブリーフ５の生地がお尻の割れ目に食い込んでも痛みを感じることがなく、良好な履き心地である。また、生地がお尻の割れ目に食い込む強さは、引き上げ紐３の一端より止着ベルト４までの長さを調節することで可変できる。
【００１２】
図４は、本発明をガードル８に適用した場合を示しており、図４（ａ）はガードル８着用時のお尻の横断面図、図４（ｂ）はガードル８着用時の後面図である。本ガードル８は、股下位置１の生地表側に引き上げ紐３の一端を縫い付け、尾てい骨の先端からウエストまでの範囲の位置２（図示のものはウエスト位置）の生地表側に引き上げ紐３の他端を縫い付けて、引き上げ紐３により生地がお尻の割れ目に食い込んで密着するようにしている。引き上げ紐３は、幅広の強力なゴム紐で形成してあり、引き上げ紐３の長さは、引き上げ紐３両端の止着位置間のパンツの生地の長さ（後側のまた上長さ）よりも短く設定してあり、ガードル８着用時に引き上げ紐３が十分伸ばされるようにしている。
【００１３】
本ガードル８を着用すると、生地が伸びることで両側に向けて引き上げる力ｆａが作用することに加え、引き上げ紐３により引っ張られることでお尻の割れ目側に向けて引き上げる力ｆｂが作用し、これによりお尻の肉が左右に分かれて持ち上げられ、きれいなヒップラインが形成される。さらに、引き上げ紐３が伸びることによる引っ張り力ｆｃが作用してお尻が中央から持ち上げられることで、足が長くなる効果もある。
【００１４】
本発明は以上に述べた実施形態に限定されない。例えば、図３に示すように、パンツの尾てい骨の先端からウエストまでの範囲の位置２の生地表側と引き上げ紐３の他端側６に一対の面ファスナー７ａ，７ｂを取付けておき、この面ファスナー７ａ，７ｂを利用して引き上げ紐３の他端側６をパンツの生地に止着するようにしてもよい。このようにすれば、引き上げ紐３を止着ベルト４に結びつけたりほどいたりする手間がかからず、一人でも容易に着用することができるし、引き上げ紐３の他端側６の止着位置を上下に調節することで、生地のお尻の割れ目に食い込む強さを調節できる。面ファスナー以外にも、ボタン、ホックなどを利用して、引き上げ紐３の端部をパンツの生地に着脱できるようにしてもよい。引き上げ紐３は、弾力性の無い紐で形成してもよい。さらに引き上げ紐３は、股下側をパンツの生地に着脱自在とし、ウエスト側をパンツに縫い付けてあってもよいし、股下側とウエスト側の両方をパンツの生地に着脱自在としてもよい。本発明は、ブリーフに限らず、トランクスや、女性用のパンティー等あらゆる種類のパンツに適用できる。
【図面の簡単な説明】
【００１５】
【図１】本発明の一実施形態に係るパンツの着用時の状態を示す後面図である。
【図２】本発明の一実施形態に係るパンツの着用前の状態を示す後面図である。
【図３】本発明のパンツの他の実施形態を示す着用状態における後面図である。
【図４】本発明をガードルに適用した場合を示しており、（ａ）はガードル着用時のお尻の横断面図、（ｂ）はガードル着用時の後面図である。
【図５】（ａ）は従来のガードル着用時のお尻の横断面図、（ｂ）は従来のガードル着用時の後面図である。
【符号の説明】
【００１６】
１  股下位置
２  尾てい骨の先端からウエストまでの範囲の位置
３  引き上げ紐
４  止着ベルト（止着部）
５  ブリーフ（パンツ）
７ａ  面ファスナー（止着部）
８  ガードル（パンツ）
【図１】
2006314652.tif 000003
【図２】
2006314652.tif 000004
【図３】
2006314652.tif 000005
【図４】
2006314652.tif 000006
【図５】
2006314652.tif 000007